(57)【要約】  本発明は、子供用椅子（１）において使用する背中支持具（６０）に関し、これにおいては、子供用椅子は少なくも１個の背もたれ、２個の側方部品（５）、１個の座席板（２）及び端部（１０１）を有する１個の弓形安全具（１００）を備え、弓形安全具（１００）は側方部品（５）に着脱自在に取り付けられ、背もたれ又は側方部品は各が少なくも１個の開口又は溝を有し、背中支持具（６０）は、背もたれより高く伸びている頂部部分（６１）、背もたれ又は側方部品の開口又は溝の中に少なくも部分的にはめ込まれた左右のアーム（６３）を備え、アーム（６３）の部分が弓形安全具（１００）により前記開口又は溝に固定される。本発明は、背中支持具の使用、及び背中支持具を含む子供用セット及び子供用セットの使用にも関する。
2009527318.tif 000002
【特許請求の範囲】
【請求項１】
少なくも１個の背もたれ、２個の側方部品（５）、１個の座席板（２）、及び端部（１０１）を有する１個の弓形安全具（１００）を具え、弓形安全具（１００）が側方部品（５）に着脱自在に取り付けられ、背もたれ又は側方部品は少なくも１個の開口又は溝を有する子供用椅子（１）に使用する背中支持具（６０）であって、該背中支持具（６０）は高さ方向で背もたれを越えて伸びている頂部部分（６１）を有する背中支持具において、
背もたれ又は側方部品の開口又は溝の中に少なくも部分的に嵌まり込む左、右のアーム（６３）を備え、該アーム（６３）の部分が弓形安全具により前記開口又は溝内に固定されている背中支持具（６０）。
【請求項２】
背もたれが１個又はそれ以上の横方向部品（３、４）を備える請求項１による背中支持具。
【請求項３】
背もたれが平行な２個の横方向部品（３及び４）、好ましくは水平方向の開口として前記開口を定めている垂直方向の距離を有する上方の横方向部品（３）及び下方の横方向部品（４）を備える請求項２による背中支持具。
【請求項４】
弓形安全具の端部（１０１）を、好ましくは工具を使用することなしに側方部品（５）のトラック内に締め付けることにより弓形安全具（１００）が前記側方部品（５）に固定される請求項１乃至３のいずれか１つによる背中支持具。
【請求項５】
弓形安全具の端部（１０１）は、弓形安全具の端部（１０１）が側方部品（５）に固定されたとき、アーム（６３）を少なくも部分的に覆うことによりアーム（６３）を前記開口又は前記溝内に固定するように配列される請求項１乃至４のいずれか１つによる背中支持具。
【請求項６】
アーム（６３）が、横方向部品（３、４）又は側方部品（５）の開口又は溝の中に挿入するための後ろ向きの鉤爪（６５）を更に備える請求項１乃至５のいずれか１つによる背中支持具。
【請求項７】
背中支持具が、１個又はそれ以上の横方向部品（３、４）又は側方部品（５）に固定するに適した１個又はそれ以上の固定用手段を備える請求項１乃至６のいずれか１つによる背中支持具。
【請求項８】
固定用手段が、横方向部品（３、４）の下方又は上方の縁、或いは側方部品（５）の縁の１つ又は数箇を掴むようにされた１個又はそれ以上のフック（６４）、好ましくは後ろ向きのフックである請求項７による背中支持具。
【請求項９】
背中支持具が、横方向部品（３、４）に当たっている背中支持具（８０、９０）の後ろ側に１個又はそれ以上のスペーサー（８６、９６）を備える請求項１乃至８のいずれか１つによる背中支持具。
【請求項１０】
背中支持具の深さの調節が可能である請求項１乃至９のいずれか１つによる背中支持具。
【請求項１１】
スペーサーが置換可能であり又は厚さを調整することができる請求項９又は１０による背中支持具。
【請求項１２】
カバーを背中支持具の端部の縁の上に取り付けることができるように、背中支持具（８０、９０）の後ろ側に、側方の縁からある距離をおいて、アーム（８３、９３）が成型され又は固定される請求項１乃至１１のいずれか１つによる背中支持具。
【請求項１３】
背中支持具が、木材、金属、プラスチック、強化プラスチック、発泡プラスチック又は合成材料、好ましくはプラスチックより作られる請求項１乃至１２のいずれか１つによる背中支持具。
【請求項１４】
背中支持具が、パッドの詰められた品質を有する請求項１乃至１３のいずれか１つによる背中支持具。
【請求項１５】
背中支持具の高さが座席板２の高さ調整により使用者に関して調整できる請求項１乃至１４のいずれか１つによる背中支持具。
【請求項１６】
背中支持具が、数種の材料、好ましくは積層組立体、より好ましくは背中支持具の前面パッドの詰められた品質を有する請求項１乃至１５のいずれか１つによる背中支持具。
【請求項１７】
背中支持具が、使用者の動きに対抗して跳ね返り及び／又は使用者の動きを吸収する可撓性を有する請求項１乃至１６のいずれか１つによる背中支持具。
【請求項１８】
トリップトラップ（登録商標）椅子のような子供用椅子における請求項１乃至１６のいずれか１つによる背中支持具の使用。
【請求項１９】
背中支持具が、弓形安全具（１００）と請求項１乃至１７のいずれか１つによる背中支持具とを備える子供用椅子のための子供用セット。
【請求項２０】
弓形安全具（１００）にパッドが詰められ、好ましくは背中支持具と同じ品質である請求項１９による子供用セット。
【請求項２１】
子供用セットが、子供用ハーネスを更に備える請求項１９又は２０による子供用セット。
【請求項２２】
子供用セットが、更にシートカバー及び／又は背もたれ、好ましくはパッド入りカバーを備える請求項１９乃至２１のいずれか１つによる子供用セット。
【請求項２３】
トリップトラップ（登録商標）椅子のような子供用椅子における請求項１９乃至２２のいずれ１つによる子供用セットの使用。
【発明の詳細な説明】
【技術分野】
【０００１】
本発明は、特に子供用椅子の背もたれを高くして適合させるための背もたれ用の背中支持具に関する。背中支持具は、恐らくは座席板及び足板の垂直方向及び水平方向の調整の機会を有する現存の低い背もたれと側方部品とを有する子供用椅子に適する。更に、本発明は、子供用椅子の背もたれと弓形安全具とのセット、及び子供用椅子における背もたれ支持具及びセットの使用に関する。
【背景技術】
【０００２】
幼児、即ち、一人で座れる子供（約６−７カ月）から子供用椅子に安全に座ることができる子供（約２歳）までの子供は、椅子に正しく座るためには追加の支持が必要であることがよく知られている。支持が筋肉及び骨格の苦痛を取り除くことにより子供を助け、更に子供が椅子から外に体を曲げることを妨げ、更に恐らくは安全具が子供が子供用椅子から転落する可能性を取り除く。
【０００３】
子供に対する最大の支持を得るために、子供用椅子の座席を成型すること及び弓形の横材及びクラウチバーを一体化することが知られている。成型した椅子の座席に伴う欠点は、子供の大きさ及び年齢に関連して変更することができない点である。かかる座席は子供が椅子から這い上がって出ることがないようにするためにハーネスと組み合わせられることが多い。しかし、ハーネスは必要とされる追加の物理的支持を提供しない。
【０００４】
近年、多くの国及び地域で子供用椅子のような子供の使用する用具に対して独自の安全規制を持つ傾向が広がってきた。新しい子供用椅子の開発を考慮しなければならないが、かかる安全対策に力を入れる以前に長期にわたり製造されてきた椅子を適合させることは困難である。椅子に物理的に介入することなしに、長年にわたり既に販売された椅子にかかる改造を行うことは特に困難である。あちらこちらの家庭に何千台ものかかる椅子がある。更に、規制の変更のたびにかかる椅子の生産を変更すること、並びに各国及びその特別な規制に適合するように生産ラインを整備することは継続的な欠点である。従って、規制の変化があったとき椅子全体を廃棄することなく椅子の更新を簡単かつ妥当な費用で行う順応性のある用具で標準の子供椅子を適合させるこが環境的にも有利である。
【０００５】
これは、例えば、子供用椅子トリップトラッパ（登録商標）であり、これは早くも１９７２年に開発され１９７６年に特許を取得し、かつ多くの国で今も非常に一般的な子供用椅子である。
【０００６】
トリップトラッパ（登録商標）椅子は子供の身体の大きさに応じて調整できるように設計され、このため、座席板と足板とを有し、後者は側方部品のトラック内を摺動して異なる高さ位置に動かすことができ、そして側方部品間の距離を締めることにより固定される。座席板は、更に、常置された背もたれに関してこれを押して深さ位置を調整することができる。背もたれは２個の平行な横方向部品から構成され、これら部品は互いに一定の高さ及び距離を持つ。この両部品は使用者の背中に適合するように中央部分が後方に向かうアーチ状にされる。
【０００７】
トリップトラッパ（登録商標）椅子では、特許文献１のピーター・オプスヴィックのノルウェー特許第１３２，７８２号明細書に説明されるように、一番小さい子供が使用するために開発された。弓形安全具が、背中支持具と同じ高さで、側方部品の内側のトラック内に適合し、更に背中支持具と共に子供用の開口を形成するように前向きのアーチにされる。弓形安全具の設置の際は、弓形安全具は、各端部が側方部品のトラック内に滑り込むように押され、弓形安全具は、これによっていかなる種類の工具も使用するなく、それ自体の張力により正確な位置にそれ自体で固定される。弓形安全具に取り付けられかつ座席板の穴を介して固定されるクラウチストラップが使用される。
【０００８】
上述された椅子の元々の機能を同時に維持すべきとした場合は、現存の椅子及び子供用設備を新しい要求に適合させることは困難であることも確かめられた。これは、例えば、子供が後方に倒れて背骨を傷つけ又は転落することを防ぐために子供用椅子の背を高くし適合させるという要求の場合である。
【０００９】
特許文献２のドイツ特許第９６１２８２８号明細書からは、上述の椅子と同様な子供用椅子に使用するための組み合わせられた背中支持具と座席板のパッディング用具が知られる。この用具は背もたれに取り付けるための後部スリーブ、或いは背もたれの後ろ側を取り巻き、そしてジッパーによりパッディング用具に再取り付けするフラップを有し、背もたれの上方に伸びる頂部部分のある背中保持具である。１個の連続部品であるこの用具は、下方部分が座席板部分と背中支持具部分との間で押されているときの座席板の高さ調節に限定される。更に、ジッパーなしでの用具の取り付けは工具の助けをかりる椅子の取り外しを必要とする。しかし、ジッパーの使用により子供が容易に不当に変更することができる。
【特許文献１】ノルウェー特許１３２，７８２号  明細書
【特許文献２】ドイツ特許第９６１２８２８号  明細書
【発明の開示】
【発明が解決しようとする課題】
【００１０】
従って、本発明の目的は、成人用椅子及び子供用椅子の所有者が規則及び標準の変更に従って椅子を更新できるように上述のような用具を提供することである。更に、使用者が決められていない場合、すなわち椅子が３歳以上の子供、又は成人により使用されるときは、椅子は、最も小さい子供のための子供用椅子として装備する必要はない。いずれかの部品に穴を空けたり又は椅子に汚れを残すネジを差し込むような物理的適合を避けることも目的である。この汚れは、背中支持具又は弓形安全具を使用しなくなったときに観察される。かかる干渉は、使用者が間違った方法で適合を行い、このため安全が確保されない危険をもたらす。従って、追加の用具の取り付けをできるだけ直感的かつ単純にし、工具を使用せずしかも同時に安全を保つことが本発明の目的である。
【課題を解決するための手段】
【００１１】
これらの目的を達成するために、出願人は上述の諸問題を解決する背中支持具を開発した。
【００１２】
本発明は、子供用椅子に使用される背中支持具であって、子供用椅子が少なくも１個の背もたれ、２個の側方部品、１個の座席板及び端部を有する１個の弓形安全具を備え、弓形安全具は側方部品に着脱自在に固定され、背もたれ又は側方部品は各が少なくも１個の開口又は溝を有し、背中支持具は高さ方向で背もたれを越えて伸びている頂部部分を有し、そして背中支持具は更に、背もたれ又は側方部品の開口又は溝の中に少なくも部分的に嵌め込まれた左及び右のアームを備え、アームの部分が弓形安全具により前記開口又は溝の中に固定される背中支持具に関する。
【００１３】
本発明は、更に子供用椅子における上の背中支持具の使用、かかる背中支持具と弓形安全具とを備えた子供用椅子のためのセット、及び子供用椅子における子供用セットの使用に関する。
【００１４】
本発明は実施例及び付属図面の支援により更に詳細に説明されるであろう。これら実施例及び図面は  特許請求の範囲によってのみ定められる本発明の範囲を限定するものではない。
【発明を実施するための最良の形態】
【００１５】
図１より見られるように本発明による背もたれ支持具６０は、頂部部分６１、底部部分６２、及び左右のアーム６３よりなる一体品の板材より構成される。６３は６０の取り付け部分でもある。板材部品は、使用者の背中に適合するように、並びにこの背中支持具が取り付けられる椅子の現在の背もたれにも適合するように、水平方向の板材において特にその中央部分において僅かに中低にアーチ状にされることが好ましい。
【００１６】
図２は、後方から見た背中支持具６０を示す。見られるように、底部部分６２は幅広のフック６４の形で後方及び上方に湾曲している下方端部の中央部分を含む。同様に、両方のアーム６３は鈎爪のように後方に引いている延長部６５を含む。
【００１７】
この延長部は、図３より明らかな固定機能を持つ。この図において、背中支持具６０は、追加の固定用手段を使用することなくトリップトラップ（登録商標）椅子に取り付けられる。背中支持具６０は後ろ側の凸面を、椅子の現存の凹の背もたれに向けて位置決めされる。この椅子の背もたれは、平行に配列された上下の横方向部品３及び４から構成される。背中支持具６０のアーム６３は上下の横方向部材３と４との間の隙間に部分的に向けられ、そして本来の弓形安全具１００は、椅子の側方部品５の当初のトラック内にあるアーム６３の端部上にしっかり取り付けられる。アーム６３の端部は締め付けられ、工具を使用する必要なしに横方向部品の間の隙間内に固定される。
【００１８】
上下の横方向部品３と４との間の隙間におけるアーム６３の締め付けは、図４により詳細に示される。この実施例においては、アームの幅は説明された隙間より僅かに大きく、、特にアーム６３の端部の（図２に示された）鉤爪６５が、図５から明らかなように上下の横方向部品３と４との間に留まる。
【００１９】
図５は、頂部の端部６１において提供された背中支持具６０の、本来の椅子の背もたれ３、４に関する高さを示す。この図からなお見られるように、底部部分６２の後方に曲がったフック６４が下方の横方向部品４を、その下端を回って把持する。フック６４の目的は、底部部分６２が下の横方向部品４から動き出すように子供が頂部部分に対して強く寄りかかり又は当たった場合に、背中支持具の捩れを妨げることである。フック６４は、例えば子供が背中支持具６０内で持ち上げられた場合に、背中支持具６０が上向きに動くことに対する鉤爪６５の抵抗を補完する。
【別の実施例】
【００２０】
図６に、弓形のような開口形状を有する背中支持具の別の実施例が示される。この図に示されるように、背中支持具７０のアーム７３は、先に示されたと同じ方法の弓形安全具１００の支援により横方向部品３及び４に対して固定される。しかし、背もたれ７０のこの形状は、背中支持具を作る材料に対して前の実施例よりもより高い材料の剛性と強度とが必要であることに注意すべきである。この実施例においては、背中支持具７０は、例えば木材、硬質プラスチック又は金属で作られ、かつ弓形安全具１００の形と対称的な形を持つ。背中支持具７０は上部部分７１のみで底部部分が無いため、図７に示されるように横方向部品３及び４への更なる固定点が必要である。この図から分かるように、アーム７３も、上下の横方向部品３と４との間の隙間に固定される鉤爪７５を持つ。アーム７３、特に鉤爪７５上の荷重を減らすために、この実施例の背中支持具は、上側の横方向部品３の上の縁の回りを掴むフック７４を備える。フック７４は、子供又は成人が頂部部分７１を掴んで背中支持具を前に曲げることを妨げる。この背中支持具を前に曲げることは危険を生じる可能性がある。開口した実施例は、子供の背中に良好な通気を提供しかつ座席板２の位置決めされた高さ位置に従って背中の上部、頸部及び頭部に必要な支持を提供する。
【００２１】
フック６４及び７４は、背中支持具を横方向部品又は背もたれに固定するために使用し得る固定用手段の一例である。本技術熟練者はこれらに代わって別の固定用手段を使用することができる。
【００２２】
背中支持具の捩り剛性は、上の実施例において示されたようにその製作材料及び形状に依存することはいうまでもない。背中支持具は、出発点として、木材、金属、プラスチック、強化プラスチック又は合成材料のような適宜の材料、好ましくはプラスチックより作られる。材料は、固定点、即ち、アーム６３、７３、フック６４、７４及び鉤爪６５、７５が通常の加重で破損しないことを保証する捩り剛性と強度とを持つべきである。或いは、背中支持具の前面をパッド付きとし、一方、背面材料又は芯材は剛性を有する積層組立体のような種々の異なった材料を背中支持具に使用することができる。弓形安全具１００は、同じ材料から作ることができ、そして例えばパッド付き品質のような同じ品質を持つことができる。
【００２３】
背中支持具は、快適性と安全性とのため、幾分かの可撓性を有することが有利である。この可撓性のため、子供が後方に傾いたとろ、その背中、頸部及び頭部を傷つけることがない。背中支持具は、子供が急激な運動で後ろに倒れた場合に力を吸収することができ、これにより、例えば上述のパッドにより椅子が後方に傾くことが防がれる。しかし、かかる事例においては、背中支持具がアーチ内に拘束されるので、背中支持具の後ろ側の部分が横方向部品３及び４から離れて幾分か持ち上がることは危険である。この場合、背中支持具と横方向部品３及び４の間に子供の指が入り背中支持具上の圧力が下がったときに挟まれる危険が生ずる。
【００２４】
指又は同様なものを挟むことを避けるために、第３の変更実施例においては図８に示されるように背中支持具の後ろ側に１個又はそれ以上のスペーサーが配列される。スペーサー８６は、背中支持具８０の後ろ側の内側部分に置かれることが好ましい。スペーサーは、背中支持具が椅子１に取り付けられたとき、横方向部品３及び４と当たり、そして背中支持具８０を本来の横方向部品３及び４から一定の間隔に保持する。スペーサー８６は、子供がこれらと接触しないように側方の縁からある距離を空けて位置決めされる。これにより背中保持具８０は椅子において前方に動かされるため、アーム８３はこれに対応して調整され、このため、後ろ向きの延長部が備えられ、その端部は弓形安全具１００の端部１０１と横方向部品３、４の隙間との間に挟まれて置かれる。アームは、背中支持具の背面側の後ろ側に成型され又は取り付けられる。背中支持具８０を椅子１において前向きに移動させることの追加の利点は、子供の重心が前方に動き、これにより子供が椅子の中で後ろ向きに倒れた場合の後ろ向きに椅子と当たる危険を少なくすることである。更に、子供が座ったとき一様でかつより緊密な支持が得られるように、弓形安全具１００と背中支持具８０との間の開口が小さくされる。或いは、使用者に対して座席を最適に調整するために、例えばスペーサー８６及びフック８５を交換可能とし又は異なる厚さを使用するようにして背中支持具の深さを調整可能とすることができる。
【００２５】
図９に第４の実施例が示される。これにおいては、背中支持具９０のアーム９３の固定点が、背中支持具のインデントだけ側方の縁に関して動かされる。アーム９３は背中支持具９０の後ろ側に成型され又は取り付けられる。アーム９３は前の実施例と同様に、スペーサー９６の厚さに相当する前向きの延長部を持つ。これによるアーム９３の固定点の変位は、織物のカバー及び／又はパッド付きカバーが背中支持具を保護し及び／又は使用者に対する快適さを大きくし、或いは背中支持具に別の外見を与えるように、背中支持具９０の回りにカバーを縫い付けることを可能又は容易にする。
【００２６】
図１０に、図９に相当するがアーム９３にインデントのない第５の実施例が示される。この実施例による利点は、これが背中支持具９０の良好な美的印象を提供すること及び子供が自分自身を傷つけるかもしれないインデントの無いことである。
【００２７】
スペーサー８９、９６は、実用的な好ましく及び／又は美的な適宜の形式及び適宜の数を持つことができる。各横方向部品３、４に２個ずつ、計４個のスペーサーを有する実施例が示される。これに代わって、示されたスペーサーの２個と２個の間の、垂直方向又は水平方向の長い棚状の出っ張りとして形成することができる。或いは、背中支持具の後ろ側における対応した小さな区域又は大きな区域を覆っている大きいスペーサーを使用することができる。重要なことは、子供がスペーサーと背もたれ３、４との間に指を入れ、背中支持具が背もたれから幾分か持ち上げられたときに指を挟まれないように、背中支持具の側方の縁のあまりにも近くにスペーサーの位置を決めることをしないことである。
【００２８】
上の実施例の図に示されるように、背中支持具の特に頂部部分は、高い、低い、狭い又は広い形にされ、更に丸みを作られ、長円形、円形又は正方形にされるような種々の形状及び外見で変化させることができる。最も重要なことは、高さ及び形が子供の背中、頸部及び恐らくは頭部に十分な支持を提供すること、並びに子供が怪我をするような形状、及び形状により定められる支持区域の外側に動くような形状にしないないことである。種々の国及び地域の安全規則を満足する適宜の形及び高さの背中支持具を形成することができる。形状はかかる規則の変更に伴って変えることができ、かつこれは椅子全体又は椅子の部品を変えることなく背中支持具だけを新しくすることであり容易である。この解決法が生産、輸送及び環境の観点から好ましいことは勿論である。
【００２９】
実施例において、椅子１は、定められた高さの連続開口を構成している２個の平行な水平方向の横方向部品３及び４よりなる本来の背もたれを持つ。しかし、開口は、定められた高さと恐らくは定められた幅とを持つ、例えば２個の平行な溝のような、椅子の背もたれ又は側方部品における２個の別個の開口から正確に構成することができる。開口は連続している必要は無く、かつ弓形安全具による背中支持具のアームの締め付けにより固定することができかつ摩擦により運動を妨げるトラックのような溝とすることができる。
【００３０】
本発明による背中支持具による利点はトリップトラップ（登録商標）椅子又はその他の椅子のような既存の椅子に、椅子のいかなる部品の物理的変更を加えることなくかつネジのような固定用手段を使用する必要なしに使用し得ることである。背中支持具は現存の構成要素の支援のみで背もたれ上に単純に引っかけられ、そして現存の弓形安全具により側方の縁にきつく挟まれる。背中支持具は座板の高さ調整及び／又は深さ調整のような椅子の調整を妨げず、このため、椅子の本来の機能が達成される。背中支持具は、弓形安全具と共に容易に外し、又は置き換えることができ、或いは第１の椅子が必要でなくなったときに別の対応した椅子に移動させることができる。
【００３１】
本発明による背中支持具の別の利点は、子供用椅子における固定用に必要なすべての固定用用具が、余計な部品を緩める必要なく又は工具を使用することなく図に示されるように背中支持具に一体化し得ることである。従って、本発明は、子供用椅子、特にトリップトラップ（登録商標）椅子における背中支持具の使用にも関する。
【００３２】
本発明による背中支持具は弓形安全具１００の支援により固定されるので、消費者のためにこれらの部品を一緒にすることが有利である。従って、本発明は、弓形安全具及び本発明による背中支持具を備え、或いは子供用ハーネス及び／又は座席カバー及び背もたれカバーを一緒にした子供用椅子のための子供用セットにも関し、同様に子供用椅子、特にトリップトラップ（登録商標）椅子におけるセットの使用に関する。
【００３３】
以上説明された変更例及び特徴は、互いに組み合わせて使用できることは勿論である。
【図面の簡単な説明】
【００３４】
【図１】本発明による背中支持具の正面図を示す。
【図２】後方から見た図１の背中支持具を示す。
【図３】子供用椅子に使用される図１の背中支持具を示す。
【図４】図３の詳細図を示す。
【図５】斜め後方から見た図３の背中支持具を示す。
【図６】本発明による背中支持具の別の実施例の前面斜視図を示す。
【図７】後方から見た図６の背中支持具を示す。
【図８】子供用椅子に使用される背中支持具の第３の実施例の後方から見た斜視図を示す。
【図９】子供用椅子に使用される背中支持具の第４の実施例の後方から見た斜視図を示す。
【図１０】子供用椅子に使用される背中支持具の第５の実施例の前方から見た斜視図を示す。
【図１】
2009527318.tif 000003
【図２】
2009527318.tif 000004
【図３】
2009527318.tif 000005
【図４】
2009527318.tif 000006
【図５】
2009527318.tif 000007
【図６】
2009527318.tif 000008
【図７】
2009527318.tif 000009
【図８】
2009527318.tif 000010
【図９】
2009527318.tif 000011
【図１０】
2009527318.tif 000012
【国際調査報告】
2009527318.tif 000013
2009527318.tif 000014